(57)【要約】【課題】経済性、融氷雪性、防滑性に優れ、かつ設置の地域や場所が限定されない、階段用融雪床材を提供すること。【解決手段】一対の水密端子２０を具備する通電発熱体２の表裏面を、合成樹脂及び／又はゴムを主成分とし遠赤外線の放出粉末５を均等に内包する表面シート３と、合成樹脂及び／又はゴムを主成分とし断熱性に優れた裏面シート４とで密封し、これを階段下地の形状に沿うよう裏面側に略９０度に曲折させて、踏み面部１０、段鼻部１１及び蹴込み部１２を連設して構成する。【選択図】図１
2005146557.tif 000002
【特許請求の範囲】
【請求項１】
少なくとも一対の水密端子を具備する通電発熱体の表裏面を、合成樹脂及び／又はゴムを主成分とし遠赤外線の放出粉末を均等に内包する表面シートと、合成樹脂及び／又はゴムを主成分とし断熱性の高い裏面シートとで密封し、これを裏面側に略９０度曲折させて、踏み面部、段鼻部及び蹴込み部を連接して構成したことを特徴とする階段用融雪床材。
【請求項２】
裏面シートの上部又は通電発熱体の上部のいずれかに反射シートを配設して構成したことを特徴とする請求項１記載の階段用融雪床材。
【請求項３】
通電発熱体及び反射シートを踏み面部のみに設けたことを特徴とする請求項１又は２記載の階段用融雪床材。
【請求項４】
表面シートに凹部と凸部とを形成し、その凹部を互いに連通させ、これを表面シートの端部間に通じるよう凹溝を形成して構成したことを特徴とする請求項１、２又は３記載の階段用融雪床材。
【請求項５】
凹部及び凸部を踏み面部に設け、前記凸部を段鼻部に向かい高くなるように形成したことを特徴とする請求項４記載の階段用融雪床材。
【請求項６】
凹部及び凸部を段鼻部に設け、前記凸部を端部に向かい低くなるように形成したことを特徴とする請求項４記載の階段用融雪床材。
【請求項７】
少なくとも凹溝の内表面に親水性を付与したことを特徴とする請求項４、５又は６記載の階段用融雪床材。
【請求項８】
少なくとも一つの凹溝の内表面に蓄光性を付与したことを特徴とする請求項４、５、６又は７記載の階段用融雪床材。
【請求項９】
表面シートに模様及び／又は文字を設けたことを特徴とする請求項１、２、３、４、５、６、７又は８記載の階段用融雪床材。
【請求項１０】
通電回路の開閉を自動化するためのセンサーを、階段用融雪床材の内部及び／又は外部に設けたことを特徴とする請求項１、２、３、４、５、６、７、８又は９記載の階段用融雪床材。
【請求項１１】
階段用融雪床材の端部に、通電線を嵌合配設するための延設部を設けたことを特徴とする請求項１、２、３、４、５、６、７、８、９又は１０記載の階段用融雪床材。
【請求項１２】
請求項１、２、３、４、５、６、７、８、９、１０又は１１記載の階段用融雪床材を、階段下地に階段用融雪床材を敷設するとともに、各階段用融雪床材間を電気的に接続して通電回路の開閉を自動化した通電回路を形成して構成したことを特徴とする階段用融雪床材を用いた階段構造。
【請求項１３】
階段下地を上下方向に亘って複数のグループに分け、このグループ毎の階段用融雪床材の通電発熱体を、選択的に通電するようにした通電回路を接続して構成したことを特徴とする請求項１２記載の階段用融雪床材を用いた階段構造。
【請求項１４】
階段下地を上下方向に亘って複数のグループに分け、上段側グループの階段下地にのみ階段用融雪床材を、下段側グループの階段下地に通常の階段用床材を敷設して構成したことを特徴とする請求項１２又は１３記載の階段用融雪床材を用いた階段構造。
【請求項１５】
階段用融雪床材を、踊場に併設したことを特徴とする請求項１２、１３又は１４記載の階段構造。
【発明の詳細な説明】
【技術分野】
【０００１】
本発明は、階段用融雪床材及びこれを用いた階段構造、特に寒冷地の屋外に設置される階段の表面に付着する氷や積雪を効果的に融かすことができる階段用融雪床材及びこれを用いた階段構造に関するものである。
【背景技術】
【０００２】
従来、寒冷地の屋外に設置される階段において、金属線又は赤外・遠赤外線放出炭素線等をを通電発熱させて、その表面に付着する氷や積雪を融かすようにした階段用床材が数多く提案されている。
【０００３】
それ等の代表例として、特許文献１に開示された階段融雪用発熱体は、階段ステップ部に設置し、かつ絶縁被覆が施された発熱素子の防水保護皮膜でもある保護層が、階段ステップ部踏面側で中間層を介して上下の２層構造とし、中間層が、２層間の滑りはないが剥離を容易とするように構成されている。
【０００４】
また、特許文献２に開示された階段用発熱装置は、通電発熱する遠赤外線放出炭素線を水密に内包させながら連続製造し、これを定尺に切断し、略９０°に曲折して構成されている。
【特許文献１】特開平８−３１５５２号公報
【特許文献２】特開２０００−１００５４９号公報
【０００５】
しかしながら、前者の特許文献１に開示されたものは、基本的に通電加熱のみであり、電気の使用量が多く極めて不経済であり、また、後者の特許文献２に開示されたものも同様に通電加熱のみであり、炭素への通電加熱で副次的に遠赤外線放射との併用により効果的に融氷雪するようになしているが、蓄熱マット等を使用することで設備費は高騰し、特許文献１に記載されたものと同様に不経済であるという問題があった。
【発明の開示】
【発明が解決しようとする課題】
【０００６】
本発明は、上記の階段融雪用発熱装置の有する問題点に鑑みてなしたものであり、経済性、融氷雪性、防滑性に優れ、かつ設置の地域や場所が限定されない、階段用融雪床材及びこれを用いた階段構造を提供することを目的とする。
【課題を解決するための手段】
【０００７】
上記目的を達成するため、本発明の階段用融雪床材は、少なくとも一対の水密端子を具備する通電発熱体の表裏面を、合成樹脂及び／又はゴムを主成分とし遠赤外線の放出粉末を均等に内包する表面シートと、合成樹脂及び／又はゴムを主成分とし断熱性の高い裏面シートとで密封し、これを裏面側に略９０度曲折させて、踏み面部、段鼻部及び蹴込み部を連接して構成したことを特徴とする。
【０００８】
この場合、裏面シートの上部又は通電発熱体の上部のいずれかに反射シートを配設することができる。
【０００９】
また、通電発熱体及び反射シートを踏み面部のみに設けることができる。
【００１０】
また、表面シートに凹部と凸部とを形成し、その凹部を互いに連通させ、これを表面シートの端部間に通じるよう凹溝を形成して構成することができる。
【００１１】
この場合、凹部及び凸部を踏み面部に設け、前記凸部を段鼻部に向かい高くなるように形成したり、凹部及び凸部を段鼻部に設け、前記凸部を端部に向かい低くなるように形成することができる。
【００１２】
また、少なくとも凹溝の内表面に親水性を付与することができる。
【００１３】
また、この場合、少なくとも一つの凹溝の内表面に蓄光性を付与することができる。
【００１４】
表面シートに模様及び／又は文字を設けることができる。
【００１５】
また、通電回路の開閉を自動化するためのセンサーを、階段用融雪床材の内部及び／又は外部に設けることができる。
【００１６】
この場合、階段用融雪床材の端部に、通電線を嵌合配設するための延設部を設けることができる。
【００１７】
また、本発明の階段用融雪床材を用いた階段構造は、階段下地に階段用融雪床材を敷設するとともに、各階段用融雪床材間を電気的に接続して通電回路の開閉を自動化した通電回路を形成して構成したことを特徴とする。
【００１８】
この場合、階段下地を上下方向に亘って複数のグループに分け、このグループ毎の階段用融雪床材の通電発熱体を、選択的に通電するようにした通電回路を接続して構成することができる。
【００１９】
また、階段下地を上下方向に亘って複数のグループに分け、上段側グループの階段下地にのみ階段用融雪床材を、下段側グループの階段下地に通常の階段用床材を敷設して構成することができる。
【００２０】
この場合、階段用融雪床材を、踊場に併設することができる。
【発明の効果】
【００２１】
本発明の階段用融雪床材は、少なくとも一対の水密端子を具備する通電発熱体の表裏面を、合成樹脂及び／又はゴムを主成分とし遠赤外線の放出粉末を均等に内包する表面シートと、合成樹脂及び／又はゴムを主成分とし断熱性の高い裏面シートとで密封し、これを裏面側に略９０度曲折させて、踏み面部、段鼻部及び蹴込み部を連接して構成するようにしているから、通電発熱体に荷電することにより階段用融雪床材の表面温度が上昇し、階段用融雪床材の表面上の凍結、積雪が未然に防止されるとともに、遠赤外線放出粉末もともに暖められて遠赤外線の放出量が増大し、融氷雪機能が著しく向上することになり、かつ遠赤外線の放出により通電発熱体の電気発熱量が低減できるため、経済効果を向上させることができる。
【００２２】
また、裏面シートの上部又は通電発熱体の上部のいずれかに反射シートを配設しているから、通電発熱体の下方に放出される遠赤外線が、該反射シートで上方に反射されるようになり、階段用融雪床材表面の融氷雪機能がさらに高まり、経済効果をさらに向上させることができる。
【００２３】
また、通電発熱体及び反射シートを踏み面部のみに設けているから、踏み面部での融氷雪機能を損なうことなく、通電発熱体への荷電量を少なくして、経済効果を向上させることができる。
【００２４】
また、表面シートに凹部と凸部とを形成し、その凹部を互いに連通させ、これを表面シートの端部間に通じるよう凹溝を形成しているから、表面シートの凸部で滑りを防止することができ、さらに、凹部が互いに連通して端部間に通じる凹溝は、階段用融雪床材表面の融氷雪水を表面シートの端部に速やかに流出排水でき、防滑機能を一層高めることができる。
【００２５】
また、凹部及び凸部を踏み面部に設け、前記凸部を段鼻部に向かい高くなるように形成したり、凹部及び凸部を段鼻部に設け、前記凸部を端部に向かい低くなるように形成することにより、段鼻部や踏み面部に水が溜まらず、速やかに排水できるので、段鼻部、踏み面部における防滑性を向上させることができる。
【００２６】
また、少なくとも凹溝の内表面に親水性を付与することにより、融氷雪水の排出が加速され、防滑機能を向上させることができる。
【００２７】
また、少なくとも一つの凹溝の内表面に蓄光性を付与することにより、暗闇でも光が照射されることにより、自ら発光し、暗闇での視認が可能になり、歩行時の安全性を向上させることができる。
【００２８】
また、表面シートに模様及び／又は文字を設けることにより、階段昇降時における歩行者自身が本人の位置を瞬時に確認でき、さらに、居酒屋、スナック等の出入り口の階段等で使用した場合にその店名等を宣伝することになり、その媒体の機能を向上させることができる。
【００２９】
また、センサーを、階段用融雪床材の内部及び／又は外部に設けることにより、簡単な通電回路で、その開閉を自動化することができ、これにより融雪床材の管理が簡易となり、さらに、具備させるセンサーの種類により、温度、機械量等それぞれ異種の物理量の感知が可能になり、融雪床材を使用する地域の状況により、通電発熱体の使用温度域や通電の開閉等を最適の条件で制御することが可能になるり、効率的な融氷雪を簡易に行うことができる。
【００３０】
また、階段用融雪床材の端部に、通電線を嵌合配設するための延設部を設けているので、階段用融雪床材間の通電線の接続配設が簡易となり、かつ階段用融雪床材の外部に通電線が露出されることがないので通電線が昇降の邪魔をして足をつまずかせることもなく、安全に昇降することができる。  
【００３１】
また、階段下地に階段用融雪床材を敷設するとともに、各階段用融雪床材間を電気的に接続して通電回路の開閉を自動化した通電回路を形成して構成するようにしているから、融雪用階段が簡易に築造することができる。
【００３２】
また、階段下地を上下方向に亘って複数のグループに分け、このグループ毎の階段用融雪床材の通電発熱体を、選択的に通電するようにした通電回路を接続して構成しているので、凍結度、積雪量等に応じて下段側の階段用融雪床材の通電回路を選択的に閉じることができるから、使用電気が相当量低減でき、経済効果を向上することができる。
【００３３】
また、階段下地を上下方向に亘って複数のグループに分け、上段側グループの階段下地にのみ階段用融雪床材を、下段側グループの階段下地に通常の階段用床材を敷設して構成しているので、使用電気が相当量低減でき、経済効果を向上することができる。
【００３４】
また、階段用融雪床材を、踊場に併設しているので、全階段における凍結、積雪を防止して、安全性が向上する。
することができる。
【発明を実施するための最良の形態】
【００３５】
以下、本発明の階段用融雪床材及びこれを用いた階段構造の実施の形態を、図１〜図９の図面に基づいて説明する。
【実施例１】
【００３６】
図１に、本発明の階段用融雪床材の第１実施例示す。
この第１実施例における階段用融雪床材は、一対の水密端子２０を具備する通電発熱体２の表裏面を、合成樹脂及び／又はゴムを主成分とし遠赤外線の放出粉末５を均等に内包する表面シート３と、合成樹脂及び／又はゴムを主成分とし断熱性に優れた裏面シート４とで密封し、これを階段下地の形状に沿うよう裏面側に略９０度に曲折させて、踏み面部１０、段鼻部１１及び蹴込み部１２を連設して構成したものである。
この階段用融雪床材１を、階段下地１４に敷設し、さらには、踊場に併設して使用する。
【００３７】
この通電発熱体２には、炭素やステンレス、ニクロム等の金属の細線を発熱線２１として使用するか、金属繊維を、例えば、電気毛布のヒーター部のようにシート状とし、これを平面的に配設して使用することで好適に使用できる。
また、これ等繊維や細線を内包させた織物や網体や薄板体等、同様物の粉体を導電性が高い合成樹脂やゴムに分散したフィルム等も好適に使用することができる。そして、階段用融雪床材１の設計に添って上記繊維や細線、織物や網体やフィルム等で通電回路を形成し、その回路の端部間に通電線２２と漏電防止のため水密状態及び発火防止のため気密状態で接続できる少なくとも一対の水密端子２０を具備させ、これを密封するように表裏に表面シート３と裏面シート４を積層させるようにする。
【００３８】
また、上記通電発熱体２を密封する表面シート３や裏面シート４には、合成樹脂としては、成形性が良好なことから熱可塑性樹脂が好適に使用でき、中でも、汎用性の高い、ポリビニル系の塩化ビニルや酢酸ビニル等、ポリオレフィン系のポリエチレン、ポリプロピレン等、これ等合成樹脂の混合体、これ等合成樹脂とエチレン−酢酸ビニル等の共重合体類やエラストマ−類や変性ポリオレフィン類等のとの混合物がより好適に使用でき、ゴムとしては、天然、合成を問わず殆どの種類のものを使用することができる。
【００３９】
また、階段用融雪床材１に弾力性を付与するために、上記合成樹脂やゴムからなる表面シート３や裏面シート４を発泡体に形成することも可能である。但し、この場合は、発火防止の観点で表面シート３や裏面シート４の通電発熱体２との接触部は気密状態になるよう階段用融雪床材１を形成することが不可欠である。
【００４０】
また、合成樹脂及び／又はゴムを主成分とする表面シート３の素材に均等に内包する遠赤外線の放出粉末５としては、アルミナ等の金属酸化物や沸石、蛇紋石、トルマリン等の自然石や海藻炭素等の粉末及び海藻炭素を添加し焼結したセラミックの粉末等が階段用融雪床材１の設計に応じて適宜選択使用することができる。
【００４１】
本発明の階段用融雪床材１は上記のように形成することにより、通電発熱体２の水密端子２０，２０間に通電線２２を接続して荷電すれば通電発熱体２を介して階段用融雪床材１の全体が暖まり、その表面での凍結、積雪が防止でき、また表面で融氷雪され、同時に、放出粉末５も暖められ遠赤外線の放出量が激増し、表面の雪や氷に通電発熱体２の熱伝導に加え遠赤外線の熱放射が作用することになり、融氷雪機能が著しく向上する。
さらに、遠赤外線の放出量に応じて、通電発熱体２による発熱量を通電回路の制御部にて制御することで消費電力が低減でき、その経済効果は著しく高まることにもなると共に、漏電、発火の要因が減少し、安全性が向上することになる。
【実施例２】
【００４２】
また、図２は、本発明の階段用融雪床材１の第２実施例を示す。この第２実施例おいては、第１実施例と同じように構成する表面シート３と裏面シート４との間に通電発熱体２とともに反射シート６を配設したものである。
この場合、図２（Ａ）に示す実施例は、表面シート３の下部（相対的に通電発熱体２の上部）に反射シート６を、また、図２（Ｂ）に示す実施例は、裏面シート４の上部（相対的に通電発熱体２の下部）に反射シート６を配設したものである。
【００４３】
また、図２（Ａ），（Ｂ）に示す実施例では、通電発熱体２と反射シート６を階段用融雪床材１の踏み面部１０のみに設けているが、これは特に限定されるものではなく、この通電発熱体２及び反射シート６を、階段用融雪床材１の踏み面部１０の他に、段鼻部１１及び蹴込み部１２の各部にも配設することができる。
この場合、反射シート６を、通電発熱体２の上部又は下部に、かつ反射シート６を表面シート３と裏面シート４との間に配設することが不可欠となる。
【００４４】
また、反射シート６としては、特に限定されるものではないが、例えば、光反射性の強い金属、あるいは該金属メッキの薄板等が使用でき、経済的にアルミ等光反射性の強い金属を蒸着させた合成樹脂製フィルムがより好適に使用することができる。
【００４５】
また、本発明の階段用融雪床材１においては、さらに漏電や発火を防止するため、表面シート３と裏面シート４との間、通電発熱体２や反射シート６の上部及び／又は下部に別途難燃性、電気絶縁性、耐熱性、蓄熱性等に優れたシートやフィルム（いずれも図示省略）をそれぞれ積層することができる。
このように本発明は、最良の熱効率を追求するものでもあり、表裏に表面シート３と裏面シート４、その間に通電発熱体２が保持されるならば、その積層数は特に限定されるものでない。
【００４６】
このように、階段用融雪床材１に反射シート６を設けることにより、遠赤外線放出粉末の作用にて階段用融雪床材１の下方に放出される遠赤外、赤外等の熱線が該反射シート６で上方に反射され、階段用融雪床材１表面が効果的に加熱されるものとなり、階段用融雪床材１表面上での融氷雪機能を高めることができ、その経済効果を著しく向上させることができる。
【００４７】
この場合、遠赤外線の被照射体となる雪や氷に向けて効率よく放出させるため、表面シート３には、赤外線や遠赤外線の透過性に優れたポリオレフィン系の合成樹脂、ポリエチレン、ポリプロピレン等、これ等合成樹脂の混合体、これ等合成樹脂とエチレン−酢酸ビニル等の共重合体類やエラストマ−類や変性ポリオレフィン類等のとの混合物が最適に使用することができる。
さらに、裏面シート４には、階段用融雪床材１下方への熱伝導を防止、熱放射を遮蔽する断熱性に加えて保温性や蓄熱性に優れた合成樹脂やゴムを使用すれば、裏面シート４は最適の形態となり、熱効率の観点から、階段用融雪床材１は最良の形態となる。
【実施例３】
【００４８】
また、図３は、本発明の階段用融雪床材１の第３実施例を示す。この第３実施例おいては、前記第１、２実施例と同じように構成する階段用融雪床材１の表面シート３に、凹部３１と凸部３２とを規則的に、あるいは不規則的に繰り返して設けたものである。
この場合、図３（Ａ）に示す実施例、図３（Ｂ）に示す実施例はともに、凹部３１を互いに連なるようにし、表面シート３の端部間に通じる凹溝３０を形成し、これを階段用融雪床材１の踏み面部１０と段鼻部１１とに形成する。これにより、図３（Ｂ）で示す矢印のように、その凹溝３０における融氷雪水の流れ、即ち排水を円滑に行うことができる。
【００４９】
このように、表面シート３の表面側に凹部３１と凸部３２とを形成し、凹部３１を互いに連通させて表面シート３の端部間に通じる凹溝３０を形成することで、凸部３２が歩行時の滑りを防止し、加えて、階段用融雪床材１の表面に溜まる水は凹溝３０を通してその側部や端部に流出排水され、防滑機能はより高まることになる。
【００５０】
また、図３では、段鼻部１１に複数個の同形状の表面に肉盛凹部３４と肉盛凸部３５とを有する肉盛部３３を設けている。
このような肉盛部３３を設けることで、段鼻部１１の防滑性が向上すると同時に昇降時に踏み圧が最も集中し摩耗が激しい段鼻部１１が強化されることになる。
また、肉盛部３３を設ける場合は、階段用融雪床材１各部の厚みを、融氷雪水の流出落下が加速され、この融氷雪水が順次下段側の氷雪を融かすことができるように設定するようにする。
【実施例４】
【００５１】
また、図４は本発明の階段用融雪床材１の第４実施例を示す。この第４実施例おいては、前記第３実施例における階段用融雪床材１の表面シート３に形成した凹部３１と凸部３２とに高低差を持たせるようにしたものである。
この場合、特に限定されるものではないが、例えば、図４（Ａ）に示す実施例では、凸部３２の表面高さは同じとするも、凹部３１を段鼻部１１に向かい次第に深くなるようにして、実質的に凸部３２が段鼻部１１に向かって次第に高くなるように形成したもの、また図４（Ｂ）に示す実施例では、凸部３２が両側端部に向かい次第に低くなるように形成している。
【００５２】
このように凹部３１と凸部３２間の高低差を、階段用融雪床材１の表面で先端の段鼻部１１の下地出隅１６又は下地入り隅１７側、あるいは両側の下地側部１５側に向かって形成することで、実質的に凹溝３０が先端あるいは両側端部の下地側部１５に向かって低くなるよう傾斜するようになるため、その傾斜に添って、階段用融雪床材１の表面の水をその端部に自然と流水するようになって排水が速やかに、確実となり、降雨、降雪、凍結に関係なく、階段昇降時の歩行面の安全性が向上するものとなる。
【００５３】
また、上記のように構成する階段用融雪床材１の場合、少なくとも凹溝３０の内表面３３に親水性を付与すれば、下地出隅１６あるいは下地入り隅１７側へ水の排出が加速され、防滑機能をさらに高めることになる。
この親水性を付与する手段としては、界面活性剤（親水性物質）を、直接表面シート３の凹溝３０の内表面３３に直接練り込むようにすることができるが、これは特に限定されるものではなく、例えば、界面活性剤を塗料に分散し、これを同箇所等に塗布する方法、表面シート３に親水性樹脂を混合させる方法、親水性樹脂で薄いシートを形成し、これを同箇所等に貼着する方法等があり、適宜最良の手段を選択することができる。
【００５４】
また、界面活性剤としては、具体的に多価アルコールと高級脂肪酸類とから誘導された多価アルコール部分エステルが好適に使用でき、また、親水性樹脂としては、エチレンビニルアルコールやポリビニルアルコール等の水酸基を有する合成樹脂が好適に使用することができる。
【実施例５】
【００５５】
また、図５に、本発明の階段用融雪床材１の第５実施例を示す。この第５実施例おいては、前記第１、２、３、４実施例と同じように構成する階段用融雪床材１の凹溝３０の内表面３３に発光部９を形成したもので、この発光部９は蓄光材９０とその下部や側部に隣接させて発光を付勢する白色部９１を設けて構成する。
このように内表面３３に蓄光材９０と白色部９１とより構成する発光部９を付与することで、踏み圧による摩耗から発光部９が保護され、長期に亘り暗闇での視認を可能にすることになる。
また、この蓄光材９０としては、市販の根本特殊化学株式会社製、商品名「Ｎ−夜光」や同社製、商品名「ピカリコ」等が好適に使用でき、付与手段として、蓄光材０９を直接表面シート３の凹溝３０の内表面３３に練り込むが、特に限定されるものではなく、蓄光材９０を塗料に分散させこれを同箇所等に塗布することも考えられるが、これ等蓄光材９０を合成樹脂製の薄いテープに分散させ、これを同箇所等に貼着することが、最も経済的で合理的な手段となる。
【実施例６】
【００５６】
また、図６に、本発明の階段用融雪床材１の第６実施例を示す。この第６実施例おいては、前記第１、２、３、４、５実施例と同じように構成する階段用融雪床材１の表面に、その階段が２階と３階との間にあり、上れば３階、下れば２階であることを表示する英数文字８と、矢印模様７とを設けたものである。このように、表面シート３に模様７及び／又は文字８を設けることによって、昇降位置の確認等その効果はより高まることになる。
また、この矢印などの模様７や文字８の表示手段は、特に限定されるものではなく、例えば、居酒屋、スナック等の出入り口の階段等で使用した場合、その店名等を宣伝することになり、その媒体の機能は著しく向上させることができる。
さらに、この模様７や文字８の表示手段は、多岐に亘るものとし、またその視認効果を考慮して、表面シート３の色に明度差又は色差を持たせて設けることが重要視され、暗闇での視認を考慮する場合は、上記の蓄光材９０を模様７や文字８に合わせて設けることができる。
【実施例７】
【００５７】
また、図７に本発明の階段用融雪床材１の第７実施例を示す。この第７実施例おいては、表面シート３の内部及び／又は外部に、１又は２以上のセンサー２６を設けることができる。このセンサー２６としては、特に限定されるものではないが、例えば、温度を感知する温度センサー、外気空間に積氷雪重量を感知する重量センサー等を採用することができ、さらにはこの１又は２以上のセンサーを通電回路の制御部２３に接続し、これにより、センサーからの情報を制御部２４に伝達し、設定された重量で通電発熱体２が始動し、設定された温度域で通電回路の通電開閉部２３が作動するよう前記センサーを通電発熱体２に接続することができる。
このようにセンサー２６を接続することにって、例えば、積氷雪重量１００ｇを感知した時点で通電発熱体２に通電が開始され、積氷雪重量１００ｇ以上を感知している間は、その発熱により表面シート３が加熱され、この表面シート３の内部温度が予め設定した５０℃に達し、該温度をセンサー２６が感知した時に自動的に通電を停止するようにし、また温度が予め設定した５℃に降下した時に自動的に通電を開始させる。このようにして、階段用融雪床材１の表面に付着する氷や積雪を融解して除去する。また、天候が回復して積氷雪重量が１００ｇ未満になった時点で自動的に通電を終了させて制御することが可能となる。
【００５８】
この場合、センサー２６を設ける箇所は限定されるものでなく、また、感知する積氷雪重量や温度域は階段用融雪床材１を使用する地域の自然環境に応じて設定、調節することができることはいうまでのことはない。
また、センサー２６には上記の温度や重量を感知するセンサー２６の他に、凍結に伴う体積膨張による歪みを感知する歪センサー等を使用することができ、本発明では、これ等のセンサー及び回路を用いて通電の開閉を自動化させるようにする。
【００５９】
このように、内部及び／又は外部にセンサー２６を設けて通電回路の開閉を自動化すれば、融雪床材の管理が簡易とになり、さらに、具備させるセンサーの種類により、温度、機械量等それぞれ異種の物理量の感知が可能になり、融雪床材を使用する地域の状況により、通電発熱体の使用温度域や通電の開閉等を最適の条件で制御することを可能とする。
【実施例８】
【００６０】
また、図８に本発明の階段用融雪床材１の第８実施例を示す。この第８実施例おいては、端部に延設部１３を設け、その延設部１３に通電回路、特に階段用融雪床材１の外部に配設される通電線２２を把持できるようにしている。この場合、延設部１３は階段用融雪床材１の上下左右いずれの端部に設けてもよく、水密端子２０と通電線２２の接続作業を困難にするような場合は、水密端子２０の近辺での延設部１３の形成を避ければよい。
【００６１】
図８は、上又は横から通電線２２を延設部１３に嵌め込む形態を示しているが、特に限定されるものではないが、延設部１３がパイプ状でその中に通電線２２を通す形態とすることができ、このような形態時には通電線２２が昇降の邪魔をすることを減少させ、安全性を改善することができる。
【実施例９】
【００６２】
また、図９に、上記階段用融雪床材１を使用した階段構造の一実施例を示す。
この実施例おいては、上述の第１〜８実施例に示す階段用融雪床材１を、階段下地１４に敷設し、これに通電回路を形成したものである。
この場合、図９に示す実施例のように、階段下地１４の全段に敷設し、各段に敷設する通電線２２を順次接続し、通電回路を構成したものであるが、これは特に限定されるものではなく、例えば、図９に示す実施例のように、階段下地１４だけでなく踊場１８の床材にも階段用融雪床材１を併設することができる。
階段用融雪床材１と階段下地１４の踏み面部１０、段鼻部１１、蹴込み部１２及び端部それぞれの部位間を、耐水性で優れた接着剤又は粘着材、あるいは充填用接着剤（又はシーリング材）等を用いてそれぞれ接合することができる。
【００６３】
また、このような階段構造においては、階段下地１４のすべての段に階段用融雪床材１を敷設し、全階段用融雪床材１に対して同じように通電制御することもできるが、これは特に限定されるものではく、例えば、階段下地を上下方向に亘って複数のグループ、例えば、２つのグループに分け、このグループ毎の階段用融雪床材の通電発熱体を、選択的に通電可能とした通電回路を接続して構成することができる。
これにより、凍結度、積雪量等に応じて下段側の階段用融雪床材の通電回路を選択的に閉じることができるから、使用電気が相当量低減できる。さらに、下段側の階段用融雪床材の通電を閉じる場合でも、通電された上段側の階段用融雪床材１にて融解した融氷雪水が下段側の階段用融雪床材１の表面を流水する際、この温度を持つ融氷雪水にて下段側階段用融雪床材１表面上の凍結、積雪を融解させることができるので、使用電気を低減することができる。
また、階段用融雪床材１を、階段下地に敷設するとともに、踊場に併設（踊場に直接敷設したり、踊場に敷設した床材の上に重ねて敷設）することができるので、全階段における凍結、積雪を防止して、安全性が向上する。
【００６４】
このように、本発明の階段構造は、上記階段用融雪床材１間の通電回路を接続することによって、上段側で生じる融氷雪水を下段側で活用するようにすれば、下段側の階段用融雪床材１の通電回路を閉じることもでき、下段に通電発熱体を内包しない別の階段用床材を設けることもでき、下段側での敷設を間引くこともでき、これにより経済効果を向上させることができる。
【００６５】
以上、本発明の階段用融雪床材及びこれを使用する階段構造について実施例に基づいて説明したが、本発明は上記実施例に記載した構成に限定されるものではなく、その趣旨を逸脱しない範囲において適宜その構成を変更することができるものである。
【産業上の利用可能性】
【００６６】
本発明の階段用融雪床材及びこれを使用する階段構造は、経済性、融氷雪性、防滑性、安全性に優れ、かつ寒冷、積雪地域であればその設置の場所は限定されず、屋外で好適に用いることかできる。
【図面の簡単な説明】
【００６７】
【図１】本発明の階段用融雪床材の第１実施例を示す断面図である。
【図２】本発明の階段用融雪床材の第２実施例を示す断面図である。
【図３】本発明の階段用融雪床材の第３実施例を示し、（Ａ）は断面図、（Ｂ）は平面図ある。
【図４】本発明の階段用融雪床材の第４実施例を示し、（Ａ）は正面縦断面図、（Ｂ）は縦断側面図である。
【図５】本発明の階段用融雪床材の第５実施例を示す正面縦断面図である。
【図６】本発明の階段用融雪床材の第６実施例を示す斜視図である。
【図７】本発明の階段用融雪床材の第７実施例を示し、（Ａ）は一部破断した平面図、（Ｂ）は断面図ある。
【図８】通電線把持部を示す拡大断面図である。
【図９】本発明の階段構造の一実施例を示す断面図である。
【符号の説明】
【００６８】
１    階段用融雪床材
１０  踏み面部
１１  段鼻部
１２  蹴込み部
１３  延設部
１４  階段下地
１５  下地側部
１６  下地出隅
１７  下地入り隅
１８  踊場
２    通電発熱体
２０  水密端子
２１  発熱線
２２  通電線
２３  通電開閉部
２４  制御部
２６  センサー
３    表面シート
３０  凹溝
３１  凹部
３２  凸部
３３  肉盛部
３４  肉盛凹部
３５  肉盛凸部
４    裏面シート
５    遠赤外線の放出粉末
６    反射シート
７    模様
８    文字
９    発光部
９０  蓄光材
９１  白色部
【図１】
2005146557.tif 000003
【図２】
2005146557.tif 000004
【図３】
2005146557.tif 000005
【図４】
2005146557.tif 000006
【図５】
2005146557.tif 000007
【図６】
2005146557.tif 000008
【図７】
2005146557.tif 000009
【図８】
2005146557.tif 000010
【図９】
2005146557.tif 000011